(57)【要約】【課題】ラックの数よりも少ない送風機でラック内の電子機器を効率よく冷却できる空調管理システム及び空調管理方法を提供する。【解決手段】空調管理システムは、室内の所定の評価エリアの温度分布を測定する温度分布測定装置２２と、室内に温度が調整されたエアーを供給する空調機と、空調機から供給されるエアーをラックの吸気面側に搬送する送風機１７と、温度分布測定装置２２により測定した温度分布に基づき送風機１７の運転状態を制御する制御部２３と、温度分布とその温度分布における送風機１７の最適運転状態とを対応付けした記録ファイルを記録するデータベース２５とを有する。制御部２３は、温度分布測定装置２２で測定した最新の温度分布に類似した過去の温度分布が記録されている記録ファイルをデータベース２５から抽出し、当該記録ファイルに記録されている最適運転状態で送風機１７を運転する。【選択図】図７
2015105779.tif 000002
【特許請求の範囲】
【請求項１】
電子機器が収納されたラックが設置された室内の所定の評価エリアの温度分布を測定する温度分布測定装置と、
前記室内に温度が調整されたエアーを供給する空調機と、
前記空調機から供給されるエアーを前記ラックの吸気面側に搬送する送風機と、
前記温度分布測定装置により測定した前記温度分布に基づき前記送風機の運転状態を制御する制御部と、
前記温度分布とその温度分布における前記送風機の最適運転状態とを対応付けした記録ファイルを記録するデータベースとを有し、
前記制御部は、前記温度分布測定装置で測定した前記評価エリアの最新の温度分布に類似した過去の温度分布が記録されている記録ファイルを前記データベースから抽出して、当該記録ファイルに記録されている最適運転状態で前記送風機を運転することを特徴とする空調管理システム。
【請求項２】
前記制御部は、前記評価エリアの最新の温度分布に類似した過去の温度分布が記録されている記録ファイルを前記データベースから抽出できないときに、前記送風機の運転状態を順次変更して前記複数のラックの吸気面における最高温度の差が最も小さくなる運転状態を探索して最適運転状態とし、前記最新の温度分布と探索した最適運転状態とを対応付けした記録ファイルを前記データベースに記録することを特徴とする請求項１に記載の空調管理システム。
【請求項３】
前記制御部は、前記最新の温度分布と前記過去の温度分布とが類似か否かの判定を、相関係数を用いて行うことを特徴とする請求項１又は２に記載の空調管理システム。
【請求項４】
前記ラックの数よりも前記送風機の数が少ないことを特徴とする請求項１乃至３のいずれか１項に記載の空調管理システム。
【請求項５】
前記温度分布測定装置は、光ファイバをセンサとするものであることを特徴とする請求項１乃至４のいずれか１項に記載の空調管理システム。
【請求項６】
空調機から出力されるエアーを、制御部により運転状態が制御される送風機を介して、電子機器を収納したラックの吸気面側に供給する空調管理システムの空調管理方法において、
温度分布測定装置により所定の評価エリアの温度分布を測定する工程と、
前記制御部により、前記評価エリアの最新の温度分布に類似した過去の温度分布をデータベースから抽出し、前記過去の温度分布に対応付けされている最適運転状態で前記送風機を運転する工程と
を有することを特徴とする空調管理方法。
【発明の詳細な説明】
【技術分野】
【０００１】
本発明は、空調管理システム及び空調管理方法に関する。
【背景技術】
【０００２】
近年、高度情報化社会の到来にともなって計算機（コンピュータ装置）で多量のデータが取り扱われるようになり、多数の計算機を同一室内に設置して一括管理することが多くなっている。例えばデータセンターでは、計算機室内に多数のラック（サーバーラック）を設置し、それぞれのラックに複数の計算機を収納している。そして、それらの計算機にジョブを有機的に配分し、大量のジョブを効率的に処理している。
【０００３】
ジョブの処理にともなって、計算機から多量の熱が発生する。このため、熱による計算機の故障、誤動作及び処理能力の低下を回避するために、計算機を冷却する手段が必要となる。
【０００４】
一般的なデータセンターの室内は、ラックを設置する機器設置エリアと、機器設置エリアの床下に設けられて電力ケーブルや通信ケーブル等が配置されるフリーアクセスフロア（床下空間）とに分離されている。フリーアクセスフロアには空調機から低温のエアー（以下、「冷気」ともいう）が供給され、この低温のエアーは機器設置エリアの床に設けられたグリル（通風口）を介して機器設置エリアに送られる。
【０００５】
機器設置エリアには、多数のラックが列毎に並んで配置される。一般的なラックでは、ラックの前面から低温のエアーを導入して計算機を冷却し、それにより温度が上昇したエアーを背面から排出するようになっている。以下、ラックの前面（吸気側の面）を吸気面と呼び、ラックの背面（排気側の面）を排気面と呼ぶ。
【０００６】
ところで、省エネルギー及び地球温暖化防止の観点から、データセンターで消費する電力の削減が要望されている。データセンターでは、計算機を冷却するために多大な電力を消費しており、空調機自体の省電力化とともに、ラックの配置を工夫して効率的な冷却が行われるようにしている。例えば、一般的なデータセンターでは多数のラックを列毎に並べ、且つ隣り合う列のラックを吸気面と吸気面又は排気面と排気面とが向き合うように配置し、吸気面側の床にグリルを配置している。
【０００７】
このように、グリルを介して低温のエアーが供給されるエリアと、ラックから高温のエアーが排出されるエリアとを空間的に分離することにより、冷却効率の向上を図っている。低温のエアーが供給されるラック吸気面側のエリアはコールドアイルと呼ばれており、高温のエアーが排出されるラック排気面側のエリアは、ホットアイルと呼ばれている。
【先行技術文献】
【特許文献】
【０００８】
【特許文献１】ＷＯ２０１０／１２５７１２
【特許文献２】特開２０１０−１６００８１号公報
【特許文献３】特開２０１０−２１１２６９号公報
【特許文献４】特開平０６−１９５３２３号公報
【発明の概要】
【発明が解決しようとする課題】
【０００９】
ラックの数よりも少ない送風機でラック内の電子機器を効率よく冷却できる空調管理システム及び空調管理方法を提供することを目的とする。
【課題を解決するための手段】
【００１０】
開示の技術の一観点によれば、電子機器が収納されたラックが設置された室内の所定の評価エリアの温度分布を測定する温度分布測定装置と、前記室内に温度が調整されたエアーを供給する空調機と、前記空調機から供給されるエアーを前記ラックの吸気面側に搬送する送風機と、前記温度分布測定装置により測定した前記温度分布に基づき前記送風機の運転状態を制御する制御部と、前記温度分布とその温度分布における前記送風機の最適運転状態とを対応付けした記録ファイルを記録するデータベースとを有し、前記制御部は、前記温度分布測定装置で測定した前記評価エリアの最新の温度分布に類似した過去の温度分布が記録されている記録ファイルを前記データベースから抽出して、当該記録ファイルに記録されている最適運転状態で前記送風機を運転する空調管理システムが提供される。
【００１１】
開示の技術の他の一観点によれば、空調機から出力されるエアーを、制御部により運転状態が制御される送風機を介して、電子機器を収納したラックの吸気面側に供給する空調管理システムの空調管理方法において、温度分布測定装置により所定の評価エリアの温度分布を測定する工程と、前記制御部により、前記評価エリアの最新の温度分布に類似した過去の温度分布をデータベースから抽出し、前記過去の温度分布に対応付けされている最適運転状態で前記送風機を運転する工程とを有する空調管理方法が提供される。
【発明の効果】
【００１２】
上記一観点に係る空調管理システム及び空調管理方法によれば、ラックの数よりも少ない送風機でラック内の電子機器を効率よく冷却できる。
【図面の簡単な説明】
【００１３】
【図１】図１は、実施形態に係る空調管理システムを適用するデータセンターの室内を表した模式断面図である。
【図２】図２は、同じくその室内のレイアウトを模式的に表わした図である。
【図３】図３は、ファンを「オフ」にしたとき、及び「強」で運転したときの室内の温度分布の測定結果の一例を、室内レイアウトに重ね合わせて示す図である。
【図４】図４は、ファンを「オフ」にしたとき、及び「強」で運転したときの各ラックの吸気面の最高温度を表わした図である。
【図５】図５は、ＮＯ．１〜ＮＯ．１０のラックの発熱量の変化を表した図である。
【図６】図６は、ＮＯ．７及びＮＯ１０のラックの吸気面の最高温度の変化を表した図である。
【図７】図７は、実施形態に係る空調管理システムを示すブロック図である。
【図８】図８（ａ），（ｂ）は、それぞれ異なる時刻におけるデータセンター内の温度分布測定結果を示す図である。
【図９】図９は、実施形態に係る空調管理システムの動作を示すフローチャートである。
【図１０】図１０は、ＮＯ１〜ＮＯ．１０のラックの発熱量の変化を表した図である。
【図１１】図１１は、実施形態の空調管理システムによりファンを運転制御したときのＮＯ．７及びＮＯ．１０のラックの吸気面の最高温度の変化を表した図である。
【発明を実施するための形態】
【００１４】
以下、実施形態について説明する前に、実施形態の理解を容易にするための予備的事項について説明する。
【００１５】
前述したように、一般的なデータセンターでは、グリルを介してフリーアクセスフロアから機器設置エリアに低温のエアーを供給し、この低温のエアーをラック内に取り込んで計算機を冷却している。しかし、ホットアイルからコールドアイルに高温のエアーが回り込んだり、計算機の稼働状態に応じて計算機の発熱量が変化するため、全ての計算機を許容上限温度以下に維持することは簡単ではない。
【００１６】
全ての計算機を許容上限温度以下に維持するために、例えば最も高温の計算機の温度が許容上限温度以下となるように、空調機の設定温度を低くしたり、空調機の吹き出し風量を多くしたりすることが考えられる。しかし、その場合は他の計算機が過剰に冷却されることになり、電力が無駄に消費されてしまう。
【００１７】
空調機から供給される冷気を効率よく利用するために、グリルの下に床下ファンと呼ばれる送風機（以下、単に「ファン」という）を配置したデータセンターもある。このようなデータセンターでは、例えばラックの吸気面又は排気面の温度に応じてファンの稼働状態を制御して、各計算機の温度が許容上限温度を超えないようにしている。
【００１８】
このようなデータセンターにおいて、各ラックの吸気面側のグリルの下にそれぞれファンを配置すれば、各ラックの吸気面又は排気面の温度に応じてエアーの供給量を細かく調整することができる。しかし、その場合はラックの数と同じ数のファンが必要となり、設備コストが高くなる。また、ファンの数が多くなると、それにともなって消費電力も多くなる。そこで、ラックの数よりも少ない数のファンでラック内の計算機又はその他の電子機器を効率的に冷却する空調管理システムが要望される。
【００１９】
以下の実施形態では、ラックの数よりも少ないファンでラック内の電子機器を効率よく冷却できる空調管理システム及び空調管理方法について説明する。
【００２０】
（実施形態）
図１は、実施形態に係る空調管理システムを適用するデータセンターの室内を表した模式断面図である。また、図２は、同じくその室内のレイアウトを模式的に表わした図である。
【００２１】
機器設置エリア１０ａには複数のラック１１が設置されている。それらのラック１１は列毎に並んでおり、隣り合う列のラック１１は吸気面と吸気面又は排気面と排気面とが向き合うように配置されている。また、各ラック１１には、それぞれ計算機又は記憶装置等の電子機器１２が収納されている。
【００２２】
機器設置エリア１０ａの下にはフリーアクセスフロア１０ｂが設けられている。このフリーアクセスフロア１０ｂには、電源ケーブルや通信ケーブルが配置されている。また、空調機１３の送風口からフリーアクセスフロア１０ｂに、低温のエアーが供給される。
【００２３】
空調機１３の送風口からフリーアクセスフロア１０ｂに供給された低温のエアーは、機器設置エリア１０ａの床に設けられたグリル（通風口）１４を介して機器設置エリア１０ａ内に移動する。そして、ラック１１の吸気面からラック１１内に入り、ラック１１内の電子機器１２を冷却する。電子機器１２を冷却することにより温度が上昇したエアーは、ラック１１の排気面から排出される。
【００２４】
機器設置エリア１０ａの上方には排気流路１５が設けられている。ラック１１から排出されたエアーは、排気流路１５を通って空調機１３の吸気口に移動する。そして、吸気口から空調機１３内に入ったエアーは、空調機１３により冷却された後、再度送風口からフリーアクセスフロア１０ｂに供給される。
【００２５】
図２に示す例では、室内に１台の空調機１３が設置され、１０台のラック１１が２列に並んで配置されている。ここでは、説明の便宜上、一方の列のラック１１を左側から順にＮＯ.１〜ＮＯ.５のラックと呼び、他方の列のラック１１を左側から順にＮＯ．６〜ＮＯ．１０のラックと呼ぶ。ＮＯ．１〜ＮＯ．５のラック１１とＮＯ．６〜ＮＯ．１０のラック１１とは、吸気面を対向させて配列されている。
【００２６】
各ラック１１の吸気面側の床にはグリル１４が設けられている。そして、ＮＯ．６のラック１１の前のグリル１４には、ファン１７が配置されている。ファン１７は、制御部（図示せず）からの信号により、運転状態が「オフ（運転停止）」、「弱」、「中」、「強」の４段階に変化する。
【００２７】
また、図１，図２に示す例では、ラック１１の上方（床上２．３ｍの位置）、並びに各ラック１１の吸気面及び排気面に光ファイバ（図示せず）を敷設している。この光ファイバを温度分布測定装置（Distributed Temperature Sensor：ＤＴＳ）に接続して、ラック１１の上方、並びに各ラック１１の吸気面及び排気面の温度分布を測定する。
【００２８】
なお、本願発明者らは、光ファイバにより検出した温度分布に対し伝達関数を用いた補正計算を行う温度測定方法を提案している（特許文献１，２参照）。この方法によれば、光ファイバの長さ方向に沿って１０ｃｍ〜数１０ｃｍの間隔で設定された測定ポイントの温度を精度よく検出することができる。
【００２９】
図３（ａ）はファン１７を「オフ」にしたときの室内の温度分布の測定結果の一例を、室内レイアウトに重ね合わせて示す図である。また、図３（ｂ）はファン１７を「強」で運転したときの室内の温度分布の測定結果の一例を、室内レイアウトに重ね合わせて示す図である。図３（ａ），（ｂ）中の点線は、ラック１１の上方に敷設した光ファイバの敷設経路を示している。
【００３０】
光ファイバを温度センサとして温度分布測定装置で測定した温度分布を画像処理すると、温度を色で表したサーモグラフィのような画像が得られる。但し、図３（ａ），（ｂ）では、便宜上、温度分布を等温線で表わしている。
【００３１】
図４は、ファン１７を「オフ」にしたとき、及び「強」で運転したときの各ラック１１の吸気面の最高温度を表わした図である。ここでは、空調機１３の設定温度を２１℃に設定している。
【００３２】
図４からわかるように、ファン１７が「オフ」のときにはＮＯ．１のラック１１及びＮＯ．７のラック１１の吸気面の最高温度が３０℃を超えている。これは、グリル１４からＮＯ．１及びＮＯ．７のラック１１への冷気の供給が不足しており、ホットアイルからコールドアイルに高温のエアーが回り込んでいることを意味している。
【００３３】
ファン１７を「強」で運転すると、グリル１４からＮＯ．１及びＮＯ．７のラック１１への冷気の供給量が増加し、各ラック１１の吸気面の最高温度はいずれも２８℃以下になる。
【００３４】
例えばファン１７が「オフ」のまま空調機１３の設定温度を下げて各ラック１１の吸気面の最高温度を２８℃以下にしようとすると、空調機１３の設定温度を１７℃にする必要がある。その場合は、空調機１３の設定温度が２１℃の場合に比べて、３ｋＷ程度余分に電力を消費する。
【００３５】
一方、ファン１７の消費電力は０．４ｋＷ程度であるので、空調機１３の設定温度を２１℃としてファン１７を使用すると、空調機１３の設定温度を１７℃としてファン１７を使用しない場合に比べて、電力消費量を２．６ｋＷ程度削減できる。
【００３６】
ところで、図３（ａ），（ｂ）及び図４からわかるように、ファン１７を稼働させると、ファン１７の近傍のラック１１の吸気面の最高温度は低下するものの、ファン１７から離れたラック１１の吸気面の最高温度は上昇する。これは、空調機１３から供給される冷気の総量が一定であるので、ファン１７によりあるエリアの冷気の供給量を増加させると、別のエリアでは冷気の供給量が減少するというトレードオフの関係があるためである。
【００３７】
このトレードオフの関係は、ファン１７の運転状態（「オフ」、「弱」、「中」、「強」）により変化する。また、データセンターでは、ラック１１内に収納された電子機器１２の稼働状態に応じて発熱量が変動し、それに応じて室内の温度分布も変化する。
【００３８】
そのため、全てのラック１１の吸気面の最高温度の差を小さくするためには、室内の温度分布の変化に応じてファン１７の運転状態を適宜変更することが要求される。なお、ＮＯ．１〜ＮＯ．１０のラック１１の総発熱量が大きく変化した場合は空調機１３の設定温度を変更する必要があるが、ここではその説明を省略する。
【００３９】
データセンター内のエアーの流れは複雑であり、トレードオフの関係を事前に且つ詳細に把握することは困難である。そこで、ファン１７の最適な運転状態を決定するために、ファン１７の運転状態を順番に変化させて温度分布を測定することが考えられる。
【００４０】
図５は、ＮＯ．１〜ＮＯ．１０のラック１１の発熱量の変化を表した図である。また、図６は、横軸に時刻をとり、縦軸に温度をとって、ＮＯ．７及びＮＯ１０のラック１１の吸気面の最高温度の変化を表した図である。
【００４１】
この例では、図６からわかるように、８時４３分頃に図５中にＡで示す状態からＢに示す状態に各ラック１１の発熱量が変化している。各ラック１１の吸気面の最高温度の差が許容値を超えたときに、新たな定常状態に移行すると判断して、ファン１７の最適運転状態の探索を開始する。
【００４２】
ファン１７の最適運転状態の探索は、ファン１７の運転状態を例えば「オフ」、「弱」、「中」、「強」の順番で変化させて、各ラック１１の吸気面側の最高温度の差が小さくなるか否かを調べることで行う。図６では、ＮＯ．７及びＮＯ１０のラック１１の吸気面の最高温度を測定した結果を示している。
【００４３】
図６に示す例では、８時４３分よりも前にはＮＯ．７及びＮＯ１０のラック１１の吸気面の最高温度がほぼ同じであり、温度変化が殆どない。すなわち、定常状態である。このときのファン１７の運転状態は、「強」である。
【００４４】
８時４３分頃にラック１１内の電子機器の発熱状態が変化すると、ＮＯ．７のラック１１の吸気面の最高温度とＮＯ１０のラック１１の吸気面の最高温度との差が大きくなる。
【００４５】
各ラック１１の最高温度の差が許容値を超えると、ファン１７の運転状態を変更する必要がある。この例では、ファン１７の運転状態を、「オフ」、「弱」、「中」、「強」の順番で変化させて、各ラック１１の吸気面の最高温度の差が小さくなる運転状態を探索している。
【００４６】
図６に示す例で例では、ファン１７の運転状態を「弱」にしたときにはＮＯ．７及びＮＯ１０のラック１１の吸気面の最高温度の差が小さくなる方向に変化し、それ以外の場合は最高温度の差が大きくなる方向に変化している。従って、ファン１７の最適運転状態は「弱」であると判定できる。そこで、９時１４分頃からファン１７を「弱」で運転している。
【００４７】
図６に示す例では、最適運転状態の探索を開始してから各ラック１１の吸気面の温度が安定状態になるまで約３０分かかっている。しかし、この間に各ラック１１内の計算機の稼働状態が変化してしまい、ラック１１内の計算機を適切に冷却できなくなるおそれがある。
【００４８】
図７は、本実施形態に係る空調管理システムを示すブロック図である。
【００４９】
図７に示すように、本実施形態に係る空調管理システムは、光ファイバ２１と、温度分布測定装置２２と、制御部２３と、制御部２３からの信号によりファン１７を駆動するファン駆動部２４と、記録ファイルを記憶するデータベース２５を有する。
【００５０】
光ファイバ２１は、前述したように、ラック１１の上方（床上２．３ｍの位置）、並びに各ラック１１の吸気面及び排気面に敷設される。温度分布測定装置２２は、光ファイバ２１内をレーザ光が通る際に発生するラマン散乱光により、光ファイバ２１の長さ方向の温度分布を測定する。
【００５１】
制御部２３は、温度分布測定装置２２で測定した室内の温度分布のうち予め設定された所定のエリア（以下、「評価エリア」という）の温度分布を監視する。評価エリアの温度分布とは、例えばラック１１の吸気面の温度分布や、ラック１１の吸気面の上方の空間の温度分布などである。
【００５２】
そして、評価エリアの温度分布に変化があると、制御部２３はデータベース２５を参照して、過去に類似の温度分布があったか否かを調べる。過去に類似の温度分布がない場合は、図６に示すようにファン１７の運転状態を順番に変更して、最新の温度分布に対する最適運転状態を探索する。その後、制御部２３は、探索した最適運転状態でファン１７を運転するとともに、そのときの評価エリアの温度分布とファン１７の最適運転状態とのデータを記録した記録ファイルを作成し、データベース２５に記録する。
【００５３】
一方、過去に類似の温度分布があった場合は、その温度分布のデータと同一の記録ファイルに書き込まれている最適運転状態をデータを抽出して、その最適運転状態でファン１７を運転する。
【００５４】
２つの温度分布が類似か否かの判断には、例えは相関係数を使用する。相関係数は、２組の数値からなるデータ列[(ｘｉ，ｙｉ)](但し、ｉ＝1,2,…,n)が与えられたときに、下記（１）式で求めることができる。
【００５５】
【数１】
2015105779.tif 000003
【００５６】
そして、相関係数の値がしきい値以上の場合は類似と判定し、しきい値よりも小さい場合は類似でないと判定する。本実施形態では、相関係数のしきい値を０．９とする。
【００５７】
図８（ａ），（ｂ）は、横軸に光ファイバの長さ方向の位置（基準点からの距離）をとり、縦軸に温度をとって、それぞれ異なる時刻におけるデータセンター内の温度分布測定結果を示す図である。
【００５８】
図８（ａ）に示す例では、時刻Ａ１の温度分布と時刻Ｂ１の温度分布との相関係数を計算すると、０．０３となった。この値はしきい値（０．９）よりも小さいので、時刻Ａ１の温度分布と時刻Ｂ１の温度分布とは類似でないと判定することができる。
【００５９】
一方、図８（ｂ）に示す例では、時刻Ａ２の温度分布と時刻Ｂ２の温度分布との相関係数を計算すると、０．９９３となった。この値はしきい値（０．９）以上であるので、時刻Ａ２の温度分布と時刻Ｂ２の温度分布とは類似であると判定することができる。
【００６０】
以下、図９のフローチャートを参照して、本実施形態に係る空調管理システムの動作をより詳細に説明する。
【００６１】
まず、ステップＳ１１において、制御部２３は、温度分布測定装置２２から室内の温度分布を取得する。
【００６２】
次に、ステップＳ１２において、制御部２３は、ステップＳ１１で取得した温度分布から評価エリアの温度分布を抽出し、前回測定時の評価エリアの温度分布と比較して、定常状態か否かを判定する。定常状態か否かの判定は、前回測定時の評価エリアの温度分布と今回測定時の評価エリアの温度分布との類似度を相関係数を用いて計算することで行う。類似度の値がしきい値以上であれば、定常状態と判定する。
【００６３】
ステップＳ１２において定常状態であると判定した場合（ＹＥＳの場合）は、ステップＳ１１に戻る。そして、制御部２３は、温度分布測定装置２２から再度温度分布を取得する。但し、温度分布を取得する間隔が短いと、温度分布の変化を検出しにくくなる。そのため、本実施形態では、前回の温度分布の取得から一定の時間（例えば３０秒間）経過した後に、制御部２３は温度分布測定装置２２から次の温度分布を取得する。
【００６４】
ステップＳ１２において定常状態でないと判定した場合（ＮＯの場合）は、定常状態になるまでステップＳ１３，Ｓ１４のループを実行する。
【００６５】
すなわち、制御部２３は、ステップＳ１３において、前回の温度分布取得時から一定の時間経過した後に、温度分布測定装置２２から次の温度分布を取得する。そして、ステップＳ１４において、制御部２３は、前回測定時の評価エリアの温度分布と今回測定時の評価エリアの温度分布とから相関係数を用いて類似度を計算し、類似度がしきい値以上か否かにより定常状態か否かを判定する。そして、ステップＳ１４で定常状態でないと制御部２３が判定した場合（ＮＯの場合）は、ステップＳ１３に戻る。
【００６６】
ステップＳ１４で定常状態であると制御部２３が判定した場合（ＹＥＳの場合）は、ステップＳ１５に移行する。ステップＳ１５において、制御部２３は、そのときの温度分布（評価エリアの温度分布）を記録した一時記録ファイルを作成する。
【００６７】
その後、ステップＳ１６に移行し、制御部２３は、一時記録ファイルに記録した温度分布と類似の温度分布がデータベース２５に記録されているか否かを調べる。
【００６８】
すなわち、制御部２３は、一時記録ファイルに記録した温度分布とデータベース２５に記録されている過去の温度分布との類似度を相関係数を用いて計算する。そして、類似の温度分布があると判定した場合（ＹＥＳの場合）は、ステップＳ１７に移行し、データベース２５から類似の温度分布が記録されている記録ファイルを抽出する。
【００６９】
その後、制御部２３は抽出した記録ファイル（過去ファイル）に記録されているファン１７の最適運転状態を読み出し、その読み出した最適運転状態に応じてファン１７を運転する。また、制御部１７は、抽出した記録ファイルの出現頻度を更新してデータベース２５に記録する。その後、ステップＳ１１に戻って処理を継続する。
【００７０】
一方、ステップＳ１６で類似の温度分布がないと判定した場合（ＮＯの場合）は、ステップＳ１８に移行する。ステップＳ１８において、制御部２３は、現在の温度分布におけるファン１７の最適運転状態を探索する。
【００７１】
すなわち、制御部２３はファン駆動装置２４を制御して、ファン１７の運転状態を、例えば「オフ」、「弱」、「中」、「強」の順番で変更する。そして、制御部２３は、各運転状態における各ラック１１の吸気面の温度分布を温度分布測定装置２２から取得し、各ラック１１の吸気面の最高温度の差が小さくなる運転状態を抽出して、最適運転状態とする。
【００７２】
最適運転状態が探索されると、制御部２３は、ステップＳ１５で作成した一時記録ファイルに最適運転状態のデータを書き込み、新規ファイルとしてデータベース２５に登録する。
【００７３】
このようにして新規ファイルをデータベース２５に登録した後、ステップＳ１９に移行して、制御部２３は、探索した最適運転状態でファン１７を運転する。その後、ステップＳ１１に戻り、処理を継続する。
【００７４】
上述したように、本実施形態では、データベース２５に過去の評価エリアの温度分布とファン１７の最適運転状態とのデータを記録しておき、定常状態が変化するたびにデータベース２５を参照して類似の温度分布が記録されているか否かを調べる。そして、過去に類似の温度分布が記録されているときには、そのときに探索した最適運転状態でファン１７を運転する。
【００７５】
これにより、本実施形態に係る空調管理システムでは、ラック１１の数よりも少ないファン１７で各ラック１１内の電子機器１２を効率的に冷却することができる。また、本実施形態に係る空調管理システムでは、各ラック１１内の電子機器１２の発熱量の変化に迅速に対応でき、各ラック１１内の電子機器１２を適切に冷却できるとともに、空調設備で消費する電力を削減できるという効果を奏する。
【００７６】
なお、データベース２５に記録する記録ファイルの数が多くなると、類似の温度分布を探索するのに要する時間が長くなる。そのため、参照頻度が少なく、且つ一定の期間参照されていないファイルは、データベース２５から削除するようにしてもよい。
【００７７】
また、上述の実施形態では光ファイバ２１を温度センサとして室内の温度分布を測定しているが、温度センサとして熱電対又はその他の温度センサを用いてもよい。
【００７８】
図１０は、ＮＯ１〜ＮＯ．１０のラック１１の発熱量の変化を表した図である。また、図１１は、横軸に時刻をとり、縦軸に温度をとって、本実施形態によりファン１７を運転制御したときのＮＯ．７及びＮＯ．１０のラック１１の吸気面の最高温度の変化を表した図である。
【００７９】
この例では、１７時１６分頃に各ラック１１の発熱量が図１０のＡの状態からＢの状態に変化し、１７時５６分頃に各ラック１１の発熱量が図１０のＢの状態からＣの状態に変化している。また、１８時３２分頃に各ラック１１の発熱量が図１０のＣの状態からＡの状態に変化し、１９時０３分頃に各ラック１１の発熱量が図１０のＡの状態からＢの状態に変化している。
【００８０】
図１１から、本実施形態では温度分布の変化を検知してから１０分程度で安定状態になっていることがわかる。これは、図６に示す方法に比べて約１／３の時間である。
【００８１】
以上の諸実施形態に関し、更に以下の付記を開示する。
【００８２】
（付記１）電子機器が収納されたラックが設置された室内の所定の評価エリアの温度分布を測定する温度分布測定装置と、
前記室内に温度が調整されたエアーを供給する空調機と、
前記空調機から供給されるエアーを前記ラックの吸気面側に搬送する送風機と、
前記温度分布測定装置により測定した前記温度分布に基づき前記送風機の運転状態を制御する制御部と、
前記温度分布とその温度分布における前記送風機の最適運転状態とを対応付けした記録ファイルを記録するデータベースとを有し、
前記制御部は、前記温度分布測定装置で測定した前記評価エリアの最新の温度分布に類似した過去の温度分布が記録されている記録ファイルを前記データベースから抽出して、当該記録ファイルに記録されている最適運転状態で前記送風機を運転することを特徴とする空調管理システム。
【００８３】
（付記２）前記制御部は、前記評価エリアの最新の温度分布に類似した過去の温度分布が記録されている記録ファイルを前記データベースから抽出できないときに、前記送風機の運転状態を順次変更して前記複数のラックの吸気面における最高温度の差が最も小さくなる運転状態を探索して最適運転状態とし、前記最新の温度分布と探索した最適運転状態とを対応付けした記録ファイルを前記データベースに記録することを特徴とする付記１に記載の空調管理システム。
【００８４】
（付記３）前記制御部は、前記最新の温度分布と前記過去の温度分布とが類似か否かの判定を、相関係数を用いて行うことを特徴とする付記１又は２に記載の空調管理システム。
【００８５】
（付記４）前記室内は、前記ラックが設置された機器設置エリアと、機器設置エリアの床下に設けられた床下空間とに分離され、
前記送風機は、前記機器設置エリアの床に設けられて前記床下空間と前記機器設置エリアとを連絡する通風口に配置され、
前記空調機は、前記温度が調整されたエアーを前記床下空間に供給することを特徴とする付記１乃至３のいずれか１項に記載の空調管理システム。
【００８６】
（付記５）前記評価エリアは、前記ラックの吸気面又は吸気面の上方のエリアであることを特徴とする付記１乃至４のいずれか１項に記載の空調管理システム。
【００８７】
（付記６）前記ラックの数よりも前記送風機の数が少ないことを特徴とする付記１乃至５のいずれか１項に記載の空調管理システム。
【００８８】
（付記７）前記温度分布測定装置は、光ファイバをセンサとするものであることを特徴とする付記１乃至６のいずれか１項に記載の空調管理システム。
【００８９】
（付記８）空調機から出力されるエアーを、制御部により運転状態が制御される送風機を介して、電子機器を収納したラックの吸気面側に供給する空調管理システムの空調管理方法において、
温度分布測定装置により所定の評価エリアの温度分布を測定する工程と、
前記制御部により、前記評価エリアの最新の温度分布に類似した過去の温度分布をデータベースから抽出し、前記過去の温度分布に対応付けされている最適運転状態で前記送風機を運転する工程と
を有することを特徴とする空調管理方法。
【符号の説明】
【００９０】
１０ａ…機器設置エリア、１０ｂ…フリーアクセスフロア、１１…ラック、１２…電子機器、１３…空調機、１４…グリル、１５…排気流路、１７…ファン、２１…光ファイバ、２２…温度分布測定装置、２３…制御部、２４…ファン駆動部、２５…データベース。
【図１】
2015105779.tif 000004
【図２】
2015105779.tif 000005
【図３】
2015105779.tif 000006
【図４】
2015105779.tif 000007
【図５】
2015105779.tif 000008
【図６】
2015105779.tif 000009
【図７】
2015105779.tif 000010
【図８】
2015105779.tif 000011
【図９】
2015105779.tif 000012
【図１０】
2015105779.tif 000013
【図１１】
2015105779.tif 000014